(57)【特許請求の範囲】
【請求項１】
複数本の杭を、該杭の長さ方向と交差する配列方向に並べて互いに連結した連杭であって、
前記複数本の杭それぞれには、前記配列方向に並べた状態で相互に連通するように各杭を貫通するスリットが設けられ、
帯板形状を有し、相互に連通した前記スリットに、前記配列方向と前記帯板形状における長さ方向が一致するように挿入される帯板部材と、
前記帯板部材を、前記複数本の杭それぞれに固定する固定部材と、
を備えたことを特徴とする連杭。
【請求項２】
前記スリットが、前記複数本の杭それぞれにおける、該複数本の杭の相互間で同じ側の端部から、各杭の太さ方向に貫通し且つ前記各杭の長さ方向に切り込まれた切れ込みであることを特徴とする請求項１に記載の連杭。
【請求項３】
前記複数本の杭それぞれが、防腐及び防蟻処理を施された木製の杭であり、
前記帯板部材が、金属で形成され且つ耐食性を有していることを特徴とする請求項１又は２に記載の連杭。
【請求項４】
前記複数本の杭それぞれが、木製の杭であり、
前記固定部材が、抜止め構造を有する釘であることを特徴とする請求項１〜３のうち何れか一項に記載の連杭。
【請求項５】
複数本の杭を、該杭の長さ方向と交差する配列方向に並べて互いに連結した連杭を製造する連杭製造方法であって、
前記複数本の杭それぞれに、前記配列方向に並べた状態で相互に連通するように各杭を貫通するスリットを形成するスリット形成工程と、
帯板形状を有する帯板部材を、前記複数本の杭を前記配列方向に並べて前記スリットを相互に連通させつつ、前記配列方向と前記帯板形状における長さ方向が一致するように各杭の前記スリットに挿入する挿入工程と、
前記帯板部材を、前記複数本の杭それぞれに固定する固定工程と、
を有することを特徴とする連杭製造方法。
【発明の詳細な説明】
【技術分野】
【０００１】
本発明は、複数本の杭を、杭の長さ方向と交差する配列方向に並べて互いに連結した連杭、及び、そのような連杭を製造する連杭製造方法に関する。
【背景技術】
【０００２】
従来、住宅の庭や公園において、例えば花壇の境界柵として境界に沿って並べた複数本の杭を利用するといったことが行われている。このような複数本の杭で構成される境界柵の中に、複数本の杭を、杭の長さ方向と交差する配列方向に並べて互いに連結した連杭と称されるものが知られている（例えば、特許文献１参照。）。特許文献１に記載の連杭は、各杭の貫通孔に通したワイヤで複数本の杭を連結したものである。
【先行技術文献】
【特許文献】
【０００３】
【特許文献１】実用新案登録第３０８７６４４号公報
【発明の概要】
【発明が解決しようとする課題】
【０００４】
ここで、特許文献１に記載の連杭は、ワイヤが変形し易いことから持ち運び、保管、設置等を行い難い場合がある。
【０００５】
従って、本発明は、上記のような課題に着目し、持ち運び、保管、設置等を行い易い連杭、及び、そのような連杭を製造する連杭製造方法を提供することを目的とする。
【課題を解決するための手段】
【０００６】
本発明は、上記課題を解決するために、複数本の杭を、該杭の長さ方向と交差する配列方向に並べて互いに連結した連杭であって、前記複数本の杭それぞれには、前記配列方向に並べた状態で相互に連通するように各杭を貫通するスリットが設けられ、帯板形状を有し、相互に連通した前記スリットに、前記配列方向と前記帯板形状における長さ方向が一致するように挿入される帯板部材と、前記帯板部材を、前記複数本の杭それぞれに固定する固定部材と、を備えたことを特徴とする連杭となっている。
【０００７】
本発明の連杭によれば、複数本の杭が、各杭のスリットに挿入された帯板部材によって連結されている。幅や厚みを有する帯板部材は、例えばワイヤや紐等といった線材と比較してある程度の剛性を見込むことができる。このため、本発明の連杭は、上記のような線材で複数の杭を連結した連杭と比較して不用意に変形し難く、持ち運び、保管、設置等を行い易くなっている。
【０００８】
また、本発明の連杭において、前記スリットが、前記複数本の杭それぞれにおける、該複数本の杭の相互間で同じ側の端部から、各杭の太さ方向に貫通し且つ前記各杭の長さ方向に切り込まれた切れ込みであることは好適である。
【０００９】
この好適な連杭によれば、スリットが、杭の端部から切り込まれた切れ込みであることから、例えば杭の側面から太さ方向に貫通して形成される横穴様のスリット等と比較して、スリットの加工を容易に行うことができる。また、スリットが切り込まれる端部が、複数本の杭の相互間で同じ側の端部であることから、例えばこの連杭を地面に埋設して用いる場合に、全ての杭のスリットが隠れるような埋設を容易に行うことができ、使用時の外観の点でも好ましい。
【００１０】
また、本発明の連杭において、前記複数本の杭それぞれが、防腐及び防蟻処理を施された木製の杭であり、前記帯板部材が、金属で形成され且つ耐食性を有していることも好適である。
【００１１】
この好適な連杭によれば、例えば地面に埋設して花壇の境界柵等として使用するに当たり、長期の使用に耐えることから好ましい。また、帯板部材が金属で形成されていることから、杭の連結強度の点でも有利である。
【００１２】
また、本発明の連杭において、前記複数本の杭それぞれが、木製の杭であり、前記固定部材が、抜止め構造を有する釘であることも好適である。
【００１３】
この好適な連杭によれば、木製の杭への帯板部材の固定に抜止め構造を有する釘が使用されていることから、杭の連結強度の点で有利である。
【００１４】
また、本発明は、上記課題を解決するために、複数本の杭を、該杭の長さ方向と交差する配列方向に並べて互いに連結した連杭を製造する連杭製造方法であって、前記複数本の杭それぞれに、前記配列方向に並べた状態で相互に連通するように各杭を貫通するスリットを形成するスリット形成工程と、帯板形状を有する帯板部材を、前記複数本の杭を前記配列方向に並べて前記スリットを相互に連通させつつ、前記配列方向と前記帯板形状における長さ方向が一致するように各杭の前記スリットに挿入する挿入工程と、前記帯板部材を、前記複数本の杭それぞれに固定する固定工程と、を有することを特徴とする連杭製造方法となっている。
【００１５】
本発明の連杭製造方法によれば、複数本の杭が帯板部材によって連結され、上述したように持ち運び、保管、設置等を行い易い連杭を製造することができる。
【発明の効果】
【００１６】
本発明によれば、持ち運び、保管、設置等を行い易い連杭、及び、そのような連杭を製造する連杭製造方法を提供することができる。
【図面の簡単な説明】
【００１７】
【図１】本発明の一実施形態の連杭を使用した花壇の一例を示す図である。
【図２】図１に示されている連杭の１つを示す斜視図である。
【図３】図２に示されている連杭の分解斜視図である。
【図４】図２及び図３に示されている連杭を構成する７本の杭それぞれにスリットを形成するスリット形成工程を示す図である。
【図５】スリットに帯板部材を挿入する挿入工程、及び帯板部材を固定部材によって杭に固定する固定工程に使用される各種治具を示す図である。
【図６】帯板部材の挿入工程を示す図である。
【図７】固定部材による固定工程における準備段階を示す図である。
【図８】固定工程において固定部材としてのスクリュー釘が打ち込まれる様子を示す図である。
【発明を実施するための形態】
【００１８】
本発明の一実施形態の連杭及び連杭製造方法について、以下に図を参照しつつ説明する。
【００１９】
図１は、本発明の一実施形態の連杭を使用した花壇の一例を示す図である。この図１の例では、７本の杭１１を連結した連杭１が、花壇の境界に沿って地面に複数埋設されて境界柵として使用されている。
【００２０】
図２は、図１に示されている連杭の１つを示す斜視図であり、図３は、図２に示されている連杭の分解斜視図である。
【００２１】
本実施形態の連杭１は、７本の杭１１を、杭１１の長さ方向Ｄ１と交差する配列方向Ｄ２に並べて互いに連結したものである。
【００２２】
７本の杭１１それぞれは、防腐及び防蟻処理を施された丸棒状の木製の杭であり、各杭１１には、配列方向Ｄ２に並べた状態で相互に連通するように各杭１１を貫通するスリット１１１が設けられている。このスリット１１１は、７本の杭１１それぞれにおける、それら７本の杭１１の相互間で同じ側の端部から、各杭１１を太さ方向Ｄ３に貫通し且つ長さ方向Ｄ１に切り込まれた切れ込みとなっている。
【００２３】
ここで、本実施形態では、防腐及び防蟻処理として、抗菌剤としてのシプロコナゾールと銅を主成分とする防腐・防蟻剤を、木製の杭に加圧注入する処理が採用されている。尚、ここにいう「防腐及び防蟻処理」はこのような処理に限るものではなく、防腐・防蟻効果を有する任意の薬剤を杭の表面に塗付する等といった処理であってもよく、具体的な薬剤や処理方法を問うものではない。
【００２４】
これら７本の杭１１が、次のような帯板部材１２によって連結されている。帯板部材１２は、帯板形状を有し、図３に示されているように、その幅方向Ｄ４及び長さ方向Ｄ５と交差する折り曲げ・湾曲方向Ｄ６について、折り曲げ及び湾曲が可能な部材である。この帯板部材１２は、配列方向Ｄ２に並べられた7本の杭１１において相互に連通したスリット１１１に、７本の杭１１の配列方向Ｄ２と帯板部材１２の長さ方向Ｄ５が一致するように挿入される。本実施形態では、このような帯板部材１２が、スリット１１１に２本挿入されている。
【００２５】
また、帯板部材１２は、金属で形成され且つ耐食性を有している。具体的には、帯板部材１２は、ステンレススティールで形成されている。尚、ここにいう「金属で形成され且つ耐食性を有している」とは、ステンレススティールでの形成に限るものではなく、何等かの金属で形成されて、表面に耐食性を付与するメッキや化学皮膜処理等が施されたもの等であってもよい。
【００２６】
そして、上記のようにスリット１１１に挿入された２本の帯板部材１２が、７本の杭１１それぞれに固定部材１３によって固定されている。本実施形態では、この固定部材１３として抜止め構造を有する釘が採用されている。具体的には、耐食性を有するステンレス釘の一種であって、杭１１に打ち込まれたときに抜止め用の返しとして機能するネジ山が表面に形成されたスクリュー釘が採用されている。尚、ここにいう「抜止め構造を有する釘」は、このようなスクリュー釘に限るものではなく、例えば抜止め用の返しとして機能するリング状の凹凸が表面に形成されたリング釘等であってもよく、抜止めについての具体的な構造を問うものではない。固定部材１３は、１本の杭１１について、スリット１１１に挿入された帯板部材１２の１本ごとに１つずつ、この帯板部材１２を貫通して杭１１に打ち込まれている。
【００２７】
このように構成された連杭１は、図２に示されているように、帯板部材１２が折り曲げられる、あるいは湾曲される方向（図３のＤ６）に一致する折り曲げ・湾曲方向Ｄ７に、折り曲げ及び湾曲が可能となっている。これにより、図１に示されているように花壇の境界柵として連杭１を用いるに当たり、各連杭１を、花壇の境界に沿うように所望の形状に折り曲げあるいは湾曲させて設置することができることとなっている。
【００２８】
次に、図２及び図３に示されている連杭１を製造する連杭製造方法について図４〜図８を参照して説明する。
【００２９】
ここで、図２及び図３を参照した説明では、防腐・防蟻処理を施されスリット１１１が形成された杭に符号「１１」を付して説明を行ったが、以下の連杭製造方法についての説明では、防腐・防蟻処理の処理前や、スリット１１１の形成前の杭についても、同様に符号「１１１」を付し、杭１１１と呼んで説明を行う。
【００３０】
図４は、図２及び図３に示されている連杭を構成する７本の杭それぞれにスリットを形成するスリット形成工程を示す図である。図５は、スリットに帯板部材を挿入する挿入工程、及び帯板部材を固定部材によって杭に固定する固定工程に使用される各種治具を示す図である。図６は、帯板部材の挿入工程を示す図である。図７は、固定部材による固定工程における準備段階を示す図であり、図８は、固定工程において固定部材としてのスクリュー釘が打ち込まれる様子を示す図である。
【００３１】
本実施形態の連杭製造方法では、まず、図４に示されているように、７本の杭１１それぞれに、上記の配列方向Ｄ２に並べた状態で相互に連通するように各杭１１を貫通するスリット１１１を形成するスリット形成工程が行われる。このスリット形成工程では、バンドソーマシン２が使用される。作業者Ｙが、杭１１の一端をバンドソーマシン２のノコギリ２１に向かって、杭１１の長さ方向Ｄ１に沿った移動方向Ｄ２１にスライドさせることで、上記のスリット１１１が形成される。
【００３２】
尚、本実施形態では、このスリット形成工程に先立って、杭１１に対する防腐及び防蟻処理が行われ、処理済みの杭１１に対してスリット１１１の形成が行われる。上述したように防腐及び防蟻処理として防腐・防蟻剤を加圧注入する処理が採用されているので、防腐・防蟻剤は杭１１の内部にまで浸透しており、処理済みの杭１１に対してスリット１１１の形成を行っても、無垢の木材の露出は抑えられる。ただし、本発明にいう連杭製造法はこれに限るものではなく、スリットの形成後に、防腐及び防蟻処理を行ってもよい。
【００３３】
以降の工程では、図５に示されている各種治具が使用される。図５（ａ）には、帯板部材１２の挿入工程で使用される挿入治具３１が示されている。図５（ｂ）には、固定工程の準備段階において、帯板部材１２を挿入済みの７本の杭１１を収める型枠治具３２が示されている。図５（ｃ）には、７本の杭１１を型枠治具３２内に安定的に固定するためのクサビ治具３３が示されており、図５（ｄ）には、固定部材１３としてのスクリュー釘やクサビ治具３３の打ち込みに使用されるハンマー治具３４が示されている。
【００３４】
まず、図６に示されている帯板部材１２の挿入工程が行われて、７本の杭１１のスリット１１１に帯板部材１２が挿入される。この挿入工程では、７本の杭１１を配列方向Ｄ２に並べてスリット１１１を相互に連通させつつ、配列方向Ｄ２と帯板部材１２の長さ方向Ｄ５が一致するように各杭１１のスリット１１１に帯板部材１２が挿入される。そして、このときには、各杭１１のスリット１１１に、杭１１１の太さ方向Ｄ３に沿った治具挿入方向Ｄ８１や、杭１１１の長さ方向Ｄ１に沿った治具挿入方向Ｄ８２に、図５（ａ）に示されている挿入治具３１のヘラ部分３１１が挿入されてスリット１１１が適宜に拡げられて帯板部材１２の挿入が行われる。
【００３５】
次の固定工程では、固定部材１３としてのスクリュー釘の打ち込みに先立つ準備段階として、図７に示されているように、帯板部材１２を挿入済みの７本の杭１１が、型枠治具３２に収められ、クサビ治具３３の打ち込みによって型枠治具３２内に安定的に固定される。
【００３６】
型枠治具３２は、帯板部材１２の挿入により配列方向Ｄ２に配列された状態の７本の杭１１に、矢印Ｄ８３方向に被せられる。これにより、７本の杭１１が型枠治具３２に収められる。その後、７本の杭１１のうち端に位置する１本の杭１１と型枠治具３２の内壁との間に、クサビ治具３３が配置される。その後に、図５（ｄ）に示されているハンマー治具３４によってクサビ治具３３が矢印Ｄ８４に軽く打ち込まれることで、７本の杭１１が型枠治具３２内に安定的に固定される。
【００３７】
ここで、型枠治具３２において、７本の杭１１を収めたときに配列方向Ｄ２に沿って延びる２本の横桟３２１は、上方から見下ろしたときに、図中上側の縁３２１ａが、スリット１１１に挿入された帯板部材１２における幅方向Ｄ４の略中央を通るように構成されている。これら２本の横桟３２１における縁３２１ａは、各杭１１に後述するように固定部材１３としてのスクリュー釘を２本ずつ打ち込む際に、各杭１１の長さ方向についてその打ち込み位置を示す位置決めの役割を果たす。
【００３８】
固定工程では、続いて、図８に示されているように、固定部材１３としてのスクリュー釘の打ち込みが行われて、帯板部材１２が、７本の杭１１それぞれに固定される。ここでは、図５（ｄ）に示されているハンマー治具３４によって固定部材１３としてのスクリュー釘が矢印Ｄ８５方向に打ち込まれる。このとき、各スクリュー釘は、型枠治具３２の２本の横桟３２１における縁３２１ａに沿うように２本ずつ打ち込まれる。これにより、スクリュー釘が、２本の帯板部材１２それぞれを貫通して打ち込まれて、帯板部材１２が各杭１１に固定されて、図２に示されている連杭１が完成する。
【００３９】
このようにして完成した本実施形態の連杭１によれば、７本の杭１１が、各杭１１のスリット１１１に挿入された帯板部材１２によって連結されている。幅や厚みを有する帯板部材１２は、例えばワイヤや紐等といった線材と比較してある程度の剛性を見込むことができる。このため、この連杭１は、上記のような線材で複数の杭を連結した連杭と比較して不用意に変形し難く、持ち運び、保管、設置等を行い易くなっている。そして、本実施形態の連杭１によれば、連結の役割を果たす帯板部材１２がスリット１１１の内部に収められて隠れているので、外観の点でも好ましいものとなっている。
【００４０】
また、本実施形態の連杭１によれば、スリット１１１が、杭１１の端部から切り込まれた切れ込みであることから、例えば杭の側面から太さ方向に貫通して形成される横穴様のスリット等と比較して、スリット１１１の加工を容易に行うことができる。また、スリット１１１が切り込まれる端部が、７本の杭１１の相互間で同じ側の端部であることから、例えばこの連杭１を図１に示されているように地面に埋設して用いる場合に、全ての杭１１のスリット１１１が隠れるような埋設を容易に行うことができ、使用時の外観の点でも好ましい。
【００４１】
また、本実施形態の連杭１によれば、各杭１１が、防腐及び防蟻処理を施された木製の杭であり、帯板部材１２が、金属で形成され且つ耐食性を有している。このため、例えば図１に示されているように地面に埋設して使用するに当たり、長期の使用に耐えることから好ましい。また、帯板部材１２が金属で形成されていることから、杭の連結強度の点でも有利である。
【００４２】
また、本実施形態の連杭１によれば、木製の杭１１への帯板部材１２の固定に抜止め構造を有するスクリュー釘が使用されていることから、杭１１の連結強度の点で有利である。
【００４３】
また、上述した本実施形態の連杭製造方法によれば、７本の杭１１が帯板部材１２によって連結され、上述したように持ち運び、保管、設置等を行い易い連杭１を製造することができる。
【００４４】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の連杭や連杭製造方法の構成を具備する限り、勿論、本発明の範疇に含まれるものである。
【００４５】
例えば、上述した実施形態では、本発明にいう連杭の一例として、７本の杭１１を備える連杭１が例示されているが、本発明にいう連杭はこれに限るものではない。本発明にいう連杭は、７本以外の本数の杭を備えたものであってもよく、杭の本数を問うものではない。
【００４６】
また、上述した実施形態では、本発明にいう杭の一例として、丸棒状の杭１１が例示されているが、本発明にいう杭はこれに限るものではない。本発明にいう杭は、例えば角棒状や三角棒状の杭であってもよく、その具体的な形状を問うものではない。
【００４７】
また、上述した実施形態では、本発明にいう帯板部材の一例として、２本の帯板部材１２が例示されているが、本発明にいう帯板部材はこれに限るものではない。本発明にいう帯板部材は、１本の帯板部材であっても、あるいは３本以上の帯板部材であってもよく、その本数を問うものではない。
【００４８】
また、上述した実施形態では、本発明にいう帯板部材の一例として、折り曲げ及び湾曲が可能な帯板部材１２が例示されているが、本発明にいう帯板部材はこれに限るものではない。本発明にいう帯板部材は、例えばこのように変形しない強固な部材であってもよく、あるいは折り曲げることはできないが湾曲させることは可能な板バネ様の部材等であってもよい。
【００４９】
また、上述した実施形態では、本発明にいう固定部材の一例として、抜止め構造を有する釘（スクリュー釘）である固定部材１３が例示されているが、本発明にいう固定部材これに限るものではない。本発明にいう固定部材は、例えばボルト・ナットや接着剤等であってもよく、スリットに挿入された帯板部材を固定し得るものであればその具体的な固定構造を問うものではない。また、固定部材として釘を採用するにしても、抜止め構造を持たない棒状の釘を採用してもよい。ただし、本実施形態のように、抜止め構造を有する釘を固定部材として採用することが、杭の連結強度の点で有利であることは上述した通りである。
【００５０】
また、上述した実施形態では、本発明にいうスリットの一例として、７本の杭１１の相互間で同じ側の端部から、各杭１１を太さ方向Ｄ３に貫通し且つ杭１１における長さ方向Ｄ１に切り込まれた切れ込みであるスリット１１１が例示されている。しかしながら、本発明にいうスリットはこれに限るものではない。本発明にいうスリットは、例えば、杭の側面から太さ方向に貫通するように形成された横穴様のスリット等であってもよい。また、スリットが杭の端部から長さ方向に切り込まれた切れ込みであったとしても、そのスリットが設けられる端部が、複数の杭の相互間で異なっていてもよい。
【００５１】
ただし、本実施形態のように、杭の端部から長さ方向に切り込まれた切れ込みをスリットとして採用することで、横穴様のスリットと比較してスリットの加工を容易に行うことができる点は上述した通りである。また、スリットが切り込まれる端部として、複数本の杭の相互間で同じ側の端部を採用することで、全ての杭のスリットが隠れるような埋設を容易に行うことができ、使用時の外観の点でも好ましいことも上述した通りである。
【００５２】
また、上述した実施形態では、本発明にいう杭の一例として木製の杭１１が例示されているが、本発明にいう杭はこれに限るものではない。本発明にいう杭は、例えば樹脂製や陶器製、あるいは金属製の杭等であってもよい。これらの杭の場合、帯板部材の固定は、例えばボルト・ナットによる締結固定等で行われる。ただし、本実施形態で採用されているような木製の杭は加工が用意であり、製造コストの点で有利である。
【００５３】
また、上述した実施形態では、本発明にいう帯板部材の一例として金属製の帯板部材１２が例示されているが、本発明にいう帯板部材はこれに限るものではない。本発明にいう帯板部材は、帯板形状を有し、その幅方向及び長さ方向と交差する方向について、折り曲げ及び湾曲のうち少なくとも一方が可能な部材であれば、樹脂製や、樹脂を含浸させた布製等あってもよく、具体的な材料を問うものではない。ただし、本実施形態で採用されているような金属製の帯板部材は、一定の剛性や強度が得られる点で好ましい。
【符号の説明】
【００５４】
１    連杭
１１  杭
１２  帯板部材
１３  固定部材
３１  挿入治具
３２  型枠治具
３３  クサビ治具
３４  ハンマー治具
１１１    スリット
３２１    横桟
３２１ａ  縁
Ｄ１  杭の長さ方向
Ｄ２  配列方向
Ｄ３  杭の太さ方向
Ｄ４  帯板部材の幅方向
Ｄ５  帯板部材の長さ方向
Ｄ６  帯板部材の折り曲げ・湾曲方向
Ｄ７  連杭の折り曲げ・湾曲方向
Ｄ２１  移動方向
Ｄ８１，Ｄ８２  治具挿入方向
Ｄ８３，Ｄ８４，Ｄ８５  矢印
【図１】
0006422823.tif 000002
【図２】
0006422823.tif 000003
【図３】
0006422823.tif 000004
【図４】
0006422823.tif 000005
【図５】
0006422823.tif 000006
【図６】
0006422823.tif 000007
【図７】
0006422823.tif 000008
【図８】
0006422823.tif 000009